(57)【要約】【課題】回転操作装置においてクリック感を付与してかつ小型で耐久性を向上させる。【解決手段】回転操作装置は、所定の回転軸の回りに回転可能な回転操作部材２００を備えるとともに、複数の磁極が交互に着磁され回転操作部材の回転とともに所定の軸を中心として回転する磁石２５１と、第１および第２の磁極部２８０ａおよび２８０ｂを有し磁石に対して相対的に移動可能に配置された移動部材２８０とを有する。そして、磁石の磁極と第１および第２の磁極部とは、磁石と第１の磁極部との間に吸引力が作用した状態で回転操作部材が回転操作されると、第１の磁極部と磁石との間に反発力が作用し、第２の磁極部と磁石との間に吸引力が作用して移動部材が磁石に対して相対的に移動する関係に配置される。【選択図】図６
2020136273.tif 000002
【特許請求の範囲】
【請求項１】
所定の回転軸の回りに回転可能な回転操作部材を備える回転操作装置であって、
複数の磁極が交互に着磁され前記回転操作部材の回転とともに前記所定の軸を中心として回転する磁石と、
第１の磁極部および第２の磁極部を有し前記磁石に対して相対的に移動可能に配置された移動部材と、を有し、
前記磁石の磁極と前記第１の磁極部および前記第２の磁極部とは、前記磁石と前記第１の磁極部との間に吸引力が作用した状態で前記回転操作部材が回転操作されると、前記第１の磁極部と前記磁石との間に反発力が作用し、前記第２の磁極部と前記磁石との間に吸引力が作用して前記移動部材が前記磁石に対して相対的に移動する関係に配置されていることを特徴とする回転操作装置。
【請求項２】
第１の磁性体および第２の磁性体を保持する固定磁石保持部材を有し、
前記磁石と前記第１の磁極部との間に吸引力が作用した状態において、前記第２の磁性体と前記第２の磁極部との間に吸引力が作用し、
前記磁石と前記第２の磁極部との間に吸引力が作用した状態において、前記第１の磁性体と前記第１の磁極部との間に吸引力が作用することを特徴とする請求項１に記載の回転操作装置。
【請求項３】
第１の磁性体および第２の磁性体を保持する固定磁石保持部材を有し、
前記磁石と前記第１の磁極部との間に吸引力が作用した状態において、前記第１の磁性体と前記第１の磁極部との間に吸引力が作用し、
前記磁石と前記第２の磁極部との間に吸引力が作用した状態において、前記第２の磁性体と前記第２の磁極部との間に吸引力が作用することを特徴とする請求項１に記載の回転操作装置。
【請求項４】
前記移動部材が前記磁石に対して相対的に移動する方向は前記回転軸に交差する方向であることを特徴とする請求項１乃至３のいずれか１項に記載の回転操作装置。
【請求項５】
前記移動部材はスライド部材を備え、前記第１の磁極部は前記スライド部材の一端に配置され、前記第２の磁極部は前記スライド部材の他端に配置されていることを特徴とする請求項４に記載の回転操作装置。
【請求項６】
前記磁石はリング状の磁石であり、
前記移動部材は前記リング状の磁石の径方向に配置されていることを特徴とする請求項５に記載の回転操作装置。
【請求項７】
前記スライド部材には、前記径方向に延びる穴部が形成されており、
前記回転軸は前記穴部を通過することを特徴とする請求項６に記載の回転操作装置。
【請求項８】
前記回転軸は磁性体であることを特徴とする請求項１乃至７のいずれか１項に記載の回転操作装置。
【請求項９】
前記移動部材の移動方向と交差する方向における前記前記第１の磁極部および前記第２の磁極部の幅は、前記磁石の１磁極分の幅と略同一であることを特徴とする請求項１乃至８のいずれか１項に記載の回転操作装置。
【請求項１０】
前記磁石の回転を検出する回転検出部を有することを特徴とする請求項１乃至９のいずれか１項に記載の回転操作装置。
【請求項１１】
請求項１０に記載の回転操作装置と、
前記回転検出部で検出された前記磁石の回転に応じて予め定められた処理を行う制御手段と、
を有することを特徴とする電子機器。
【請求項１２】
前記回転操作部材は、前記電子機器の外装からその少なくとも一部が露出していることを特徴とする請求項１１に記載の電子機器。
【請求項１３】
前記電子機器は、被写体を撮像して画像を得る撮像装置であり、
前記回転操作装置は少なくとも前記撮像装置における撮影条件を設定する際に用いられることを特徴とする請求項１１又は１２に記載の電子機器。
【発明の詳細な説明】
【技術分野】
【０００１】
本発明は、回転操作装置およびこれを用いた電子機器に関し、特に、ユーザー操作の際にクリック感を生じさせる回転操作装置に関する。
【背景技術】
【０００２】
一般に、電子機器の１つであるデジタルカメラなどの撮像装置には、ダイヤルなどの回転操作部材が備えられている。そして、当該回転操作部材を操作することによって、例えば、撮影条件の設定および各種機能の選択を行っている。そして、回転操作部材を回転操作する際にクリック感を生じさせるようにした回転操作装置が知られており、クリック感を生じさせることによって、ユーザーはその操作量を直感的に把握することができる。
【０００３】
従来、クリック感を付与する機構として、例えば、弾性部材およびカムを用いた機構が知られている。ところが、当該機構を用いた場合には、繰り返しの使用による摩耗によってクリック感が劣化する恐れがある。
【０００４】
このため、例えば、回転操作部材と一体で回転し、円周方向に沿って多極着磁されたリング状の回転磁石と固定磁石との間の吸引力および反発力を用いてクリック感を付与するようにしたものがある（特許文献１）。
【先行技術文献】
【特許文献】
【０００５】
【特許文献１】特開２００８−１９２６２３号公報
【発明の概要】
【発明が解決しようとする課題】
【０００６】
しかしながら、特許文献１に記載の回転操作装置では、回転磁石および固定磁石において、磁極が吸着から反発を乗り越えて再び吸着になる際にクリック感が発生する。このため、一回のクリック感を発生させるためには回転磁石を二極分回転させる必要がある。つまり、操作部材を一回転させる間に発生させるクリック数の倍の磁極数を有する回転磁石が必要となって、回転操作装置自体が大型化してしまう。
【０００７】
そこで、本発明の目的は、クリック感を付与してかつ小型で耐久性に優れた回転操作装置およびこれを用いた電子機器を提供することにある。
【課題を解決するための手段】
【０００８】
上記の目的を達成するため、本発明による回転操作装置は、所定の回転軸の回りに回転可能な回転操作部材を備える回転操作装置であって、複数の磁極が交互に着磁され前記回転操作部材の回転とともに前記所定の軸を中心として回転する磁石と、第１の磁極部および第２の磁極部を有し前記磁石に対して相対的に移動可能に配置された移動部材と、を有し、前記磁石の磁極と前記第１の磁極部および前記第２の磁極部とは、前記磁石と前記第１の磁極部との間に吸引力が作用した状態で前記回転操作部材が回転操作されると、前記第１の磁極部と前記磁石との間に反発力が作用し、前記第２の磁極部と前記磁石との間に吸引力が作用して前記移動部材が前記磁石に対して相対的に移動する関係に配置されていることを特徴とする。
【発明の効果】
【０００９】
本発明によれば、クリック感を付与してかつ小型で耐久性を向上させることができる。
【図面の簡単な説明】
【００１０】
【図１】本発明の第１の実施形態による撮像装置の一例を示す斜視図である。
【図２】図１に示すカメラについてその構成を示すブロック図である。
【図３】図１および図２に示すダイヤルを正面から見た図である。
【図４】図３に示すダイヤルの構成を説明するための図である。
【図５】図４に示すスライダの構成を説明するための斜視図である。
【図６】図３に示すＡ−Ａ線に沿った断面図である。
【図７】図６に示す第１のクリック磁石と磁石とに吸着力が作用している状態を示す図である。
【図８】図６に示すスライダが磁石の中心に位置する状態を示す図である（その１）。
【図９】図６に示す第２のクリック磁石と磁石とに吸着力が作用している状態を示す図である。
【図１０】図６に示すスライダが磁石の中心に位置する状態を示す図である（その２）。
【図１１】本発明の第２の実施形態によるカメラで用いられるダイヤルを正面から示す図である。
【図１２】本発明の第３の実施形態によるカメラで用いられるダイヤルを正面から見た図である。
【図１３】図１２のダイヤルを分解して示す斜視図である。
【図１４】図１３における第１のクリック磁石と磁石の間に吸着力が作用している状態を示す図１２のＢ−Ｂ線に沿った断面図である。
【図１５】図１３におけるスライダが磁石の中心に位置する状態を示す図１２のＢ−Ｂ線に沿った断面図である。
【図１６】図１３における第２のクリック磁石と磁石の間に吸着力が作用している状態を示す図１２のＢ−Ｂ線に沿った断面図である。
【図１７】第３の実施形態と同様、ダイヤル部を操作した際のクリック感を強化するために固定磁石を設けた第１の変形例を示す模式図である。
【図１８】第３の実施形態と同様、ダイヤル部を操作した際のクリック感を強化するために固定磁石を設けた第２の変形例を示す模式図である。
【発明を実施するための形態】
【００１１】
以下に、本発明の実施の形態による電子機器の一例について図面を参照して説明する。なお、以下の説明では、電子機器の１つである撮像装置を例に挙げて説明する。
【００１２】
［第１の実施形態］
図１は、本発明の第１の実施形態による撮像装置の一例を示す斜視図である。そして、図１（ａ）は正面側から見た斜視図であり、図１（ｂ）は背面側から見た斜視図である。なお、図示の例では、撮影レンズユニットが外された状態で示されている。
【００１３】
図示の撮像装置は、例えば、デジタルカメラ（カメラ）であり、カメラ１００の上面にはシャッターボタン１０８、ダイヤル（図１にはダイヤル部２００が示されている）、およびモード切り替えスイッチ１０７が配置されている。シャッターボタン１０８は撮影指示を行うための操作部であり、モード切り替えスイッチ１０７は各種撮影モードなどを切り替えるための操作部である。
【００１４】
ダイヤルはダイヤル部２００を有しており、当該ダイヤル部２００はカメラ１００の上面（つまり、外装）からその一部が露出している。ダイヤル部２００は時計回りおよび反時計回りに回転可能な回転操作部材であり、ダイヤル部２００を回転操作することによって、後述するように、シャッター速度および絞りなどの各種設定値を設定又は変更することができる。
【００１５】
カメラ１００の背面には、電源スイッチ１０６が備えられている。電源スイッチ１０６はカメラ１００の電源をＯＮ又はＯＦＦする際に用いられる。さらに、カメラ１００の背面には表示装置（表示部）１１０、サブダイヤル１４１、および押しボタン１４２が備えられている。表示装置１１０には、ＴＦＴ又は有機ＥＬが用いられ、各種設定画面および撮影によって被写体を撮像して得られた画像が表示される。サブダイヤル１４１はダイヤル状の回転操作部材であって、撮影モードの選択、そして、測距点の選択、画像再生、メニュー操作などの操作に用いられる。押しボタン１４２は押圧操作するボタンであって、主に選択項目の決定などに用いられる。
【００１６】
ダイヤル部２００およびサブダイヤル１４１は、その操作に応じてユーザーに対してクリック感を与える。そして、ユーザーはこれらの回転操作部材から得られるクリック数に応じて直感的に操作量を把握することができる。
【００１７】
カメラ１００には通信端子１０９が備えられ、カメラ１００に撮影レンズユニット（図示せず）が装着された際、カメラ１００に備えられたＣＰＵは通信端子１０９を介して撮影レンズユニットと通信を行う。ユーザーは接眼ファインダー１１１を介してフォーカシングスクリーン（図示せず）を観察することによって、撮影レンズユニットを介して入射した光学像に係る焦点および構図の確認を行うことができる。
【００１８】
図２は、図１に示すカメラについてその構成を示すブロック図である。なお、図２において図１に示す構成要素と同一の構成要素については同一の参照番号を付す。
【００１９】
カメラ１００には、不揮発性メモリ（ＲＯＭ）１０１が備えられており、当該不揮発性メモリ１０１にはＣＰＵ１５０上で動作するプログラムが格納される。図示の例では、不揮発性メモリ１０１としてＦｌａｓｈ−ＲＯＭが用いられるが、不揮発性メモリであれば、他のメモリを用いるようにしてもよい。
【００２０】
ＲＡＭ１０２は、撮影によって得られた画像を一旦記録する画像バッファとして用いられる。さらに、ＲＡＭ１０２は画像処理の結果得られた画像データを一時的に記憶する際にも用いられる。そして、ＲＡＭ１０２はＣＰＵ１５０のワークメモリとしても用いられる。なお、アクセス速度が十分であれば、ＲＡＭ以外の他のメモリを用いるようにしてもよい。なお、表示部１０３には、前述の表示装置１１０およびファインダー１１１が含まれる。
【００２１】
電源部１０５は電池およびＡＣアダプタなどを有しており、直接又はＤＣ−ＤＣコンバータ（図示せず）などを介して、カメラ１００の各部に電源を供給する。
【００２２】
電源スイッチ１０６は、例えば、メカ的にオンおよびオフの位置を有している。なお、電源スイッチ１０６は、例えば、プッシュスイッチ又は電気的スイッチであってもよい。電源スイッチ１０６がオフの状態では、カメラ１００に電源部１０５が挿入されている状態であってもカメラ１００は機能せず、消費電力の少ない状態に保持される。カメラ１００に電源部１０５が挿入されている状態において電源スイッチ１０６がオンとなると、カメラ１００はカメラとして機能する。
【００２３】
ＣＰＵ１５０は、カメラを統括的に制御する。さらに、ＣＰＵ１５０は後述するホールＩＣ２４１によって検出されたダイヤル１４０の操作に応じて、シャッター速度および絞りなどの各種設定値を変更し、さらには表示部１０３の表示を変更する。
【００２４】
ＣＰＵ１５０には、タイマ１５１およびカウンタ１５２が備えられている。なお、タイマ１５１およびカウンタ１５２の少なくとも一方をＣＰＵ１５０に外付けするようにしてもよい。
【００２５】
タイマ１５１はＣＰＵ１５０の指示に応じて計時を開始し、ＣＰＵ１５０の指示に応じて計時を終了する。さらには、タイマ１５１を継続的に動作させて、所定の時間間隔で定期的にＣＰＵ１５０に割り込みを発生させるようにしてもよい。
【００２６】
カウンタ１５２は、ダイヤル１４０の操作回数をカウントする。なお、カウンタ１５２はダイヤル１４０の操作回数をカウントする以外に、他の操作部の操作回数をカウントするようにしてもよい。
【００２７】
ホールＩＣ２４１は、特定の方向の磁場を検出する横磁場検出部１２２と、特定方向に垂直な方向の磁場を検出する縦磁場検出部１２１とを備える磁気センサＩＣである。なお、図示の例では、ホールＩＣ２４１はＣＰＵ１５０に外付けされているが、ＣＰＵ１５０に内蔵するようにしてもよい。
【００２８】
横磁場検出部１２２および縦磁場検出部１２１の各々には上限閾値および下限閾値が設定されている。磁束密度が上限閾値を超えた場合又は下限閾値を下回った場合に、横磁場検出部１２２および縦磁場検出部１２１は検出信号を出力する。以下の説明では、横磁場検出部１２２は、磁束密度が上限閾値を超えた場合には第１の横検出信号を出力し、磁束密度が下限閾値を下回った場合には第２の横検出信号を出力する。また、縦磁場検出部１２１は、磁束密度が上限閾値を超えた場合には第１の縦検出信号を出力し、磁束密度が下限閾値を下回った場合には第２の縦検出信号を出力する。
【００２９】
なお、ＰＵ１５０は、所定のタイミングで横磁場検出部１２２又は縦磁場検出部１２１で検出される検出磁束密度を読み出すことができる。また、上述の例では、回転検出部としてホールＩＣ２４１を用いたが、ＭＲセンサなどの他の回転検出素子を用いるようにしてもよい。
【００３０】
磁石２５１は、リング状の永久磁石であり、その円周（外周）に沿ってＳ極およびＮ極が交互に所定のピッチで中心軸の方向に着磁されている。磁石２５１はダイヤル部２００と一体となって回転する。そして、ホールＩＣ２４１によって磁石２５１の磁束密度の変化を検出して、当該検出結果に応じて、ＣＰＵ１５０はダイヤル１４０の回転方向および回転量を求める。なお、後述するように、ダイヤル部２００および磁石２５１などによってダイヤル１４０が構成される。
【００３１】
図３は、図１および図２に示すダイヤルを正面から見た図である。また、図４は、図３に示すダイヤルの構成を説明するための図である。そして、図４（ａ）はダイヤルを正面から分解して示す斜視図であり、図４（ｂ）はダイヤルを背面から分解して示す解斜視図である。さらに、図５は、図４に示すスライダの構成を説明するための斜視図である。
【００３２】
ダイヤル部２００はユーザーが操作する回転操作部材であり、回転軸３００を中心として回転する。前述のように、磁石２５１はリング形状であり、その円周に沿って複数の磁極（Ｓ極およびＮ極）が交互に所定のピッチで着磁されている。そして、磁石２５１の着磁方向は回転軸３００と平行である。
【００３３】
磁石２５１は第１の着磁面（一面）および第２の着磁面（他面：裏面）を有している。ここでは、第１の着磁面がＮ極である際には、第２の着磁面はＳ極に着磁され、第１の着磁面がＳ極である際には、第２の着磁面はＮ極に着磁される。図示の例では、磁石２５１は１２極に分極されるが、他の分極数であってもよい。そして、磁石２５１はダイヤル部２００の内部に固定されて、ダイヤル部２００と一体に回転する。
【００３４】
シールド部材２０３は磁性体であり、ダイヤル部２００と磁石２５１との間に配置される。シールド部材２０３によって磁石２５１から発生する磁力が外部に漏れることを防止する。さらに、シールド部材２０３によってホールＩＣ２４１による磁気検出の際にノイズとして作用する外部の磁力を防止する。
【００３５】
シールド部材２０３は磁石２５１と同様にダイヤル部２００の内部に固定され、さらにカバー部材２０２によって蓋をされてダイヤル部２００と一体で回転する。操作部カバー２０５は、ダイヤル部２００の軸部２００ａと嵌合して、ダイヤル部２００を回転軸３００を中心として回動可能に保持する。操作部カバー２０５はベース部材２０４に固定され、ベース部材２０４および操作部カバー２０５によってダイヤル部２００が保護される。
【００３６】
スライダカバー２０６は、摺動部２０６ａにおいてダイヤル部２００の軸部２００ａと反対側に位置する軸部２００ｂと嵌合し、ダイヤル部２００を、回転軸３００を中心として回動可能に保持する。スライダカバー２０６に備えられた摺動部２０６ａは磁性体で構成され、スライダカバー２０６はベース部材２０４に固定される。
【００３７】
図５に示すように、スライダ（移動部材：スライド部材）２８０は、第１のクリック磁石（第１の磁極部）２８０ａ、第２のクリック磁石（第２の磁極部）２８０ｂ、および磁性体から成る本体２８０ｃを有している。そして、本体２８０ｃの一端部に第１のクリック磁石２８０ａが磁石２５１にＮ極（第１の極）を対向して配設される。本体２８０ｃの他端部には第２のクリック磁石２８０ｂが磁石２５１にＳ極（第２の極）を対向して配設される。
【００３８】
本体２８０ｃにはスライダ２８０のスライド方向に延びる長穴（穴部）２８０ｄが形成され、この長穴２８０ｄによってスライダ２８０は磁石２５１の径方向に移動可能となる。そして、長穴２８０ｄにダイヤル部２００の軸部２００ｂが挿入される（通過する）。
【００３９】
第１のクリック磁石２８０ａはベース部材２０４に形成された穴２０４ａに挿入され、第２のクリック磁石２８０ｂはベース部材２０４に形成された穴２０４ｂに挿入される。そして、第１のクリック磁石２８０ａおよび第２のクリック磁石２８０ｂは穴２０４ａおよび２０４ｂによってスライダ２８０の回転軸３００と垂直な（交差する）平面方向における動きが規制される。スライダ２８０はベース部材２０４とスライダカバー２０６との間に配置され、回転軸３００の方向の動きが規制される。
【００４０】
上述の構成によって、スライダ２８０はユーザーがダイヤル部２００を回転操作する方向と略平行な方向にスライドする。つまり、後述するように、スライダ２８０は磁石２５１に対して相対的に移動する。
【００４１】
ダイヤル１４０において、スライダ２８０がスライドして磁石２５１と吸着および反発を繰り返すことによってクリック感が発生する。この際に第１のクリック磁石２８０ａおよび第２のクリック磁石２８０ｂに近接する磁石２５１の磁極が磁石２５１の中心に関して互いに対向する磁極となる。
【００４２】
これによって、磁石２５１とスライダ２８０との間に作用する吸着力および反発力によって生じるダイヤル部２００およびスライダ２８０の傾きを抑制することができ、安定してクリック感を得ることができる。
【００４３】
また、スライダ２８０に長穴２８０ｄを形成したので、ダイヤル部２００が軸部２００ａおよび２００ｂに両持ちされている状態であっても、磁石２５１の対向する磁極に対してスライダ２８０を吸着および反発させることができる。
【００４４】
ホールＩＣ２４１は所定の方向の磁界と当該所定方向に垂直な方向の磁界、つまり、二軸方向の磁界（磁力）を検知する。そして、ホールＩＣ２４１は磁石２５１と対向してベース部材２０４に固定される。ダイヤル部２００を回転操作した際、ホールＩＣ２４１が磁石２５１の回転軸３００と平行な方向の磁場（縦磁場）と磁石２５１の円周方向の磁場（横磁場）を検出する。そして、ＣＰＵ１５０はホールＩＣ２４１による検出結果に基づいてダイヤル部２００の回転方向および回転量を求める。
【００４５】
なお、図示の例では、二軸方向の磁力を検知するホールＩＣ２４１を用いているが、ダイヤル部２００の回転方向および回転量を検知することができれば、ホールＩＣ２４１に限定されない。例えば、２つのホール素子を磁石２５１に対して互いに異なる位相に配置して回転検知を行うようにしてもよい。
【００４６】
カバー部材２０７はベース部材２０４においてダイヤル部２００の側に配置され、ベース部材２０４に形成された穴２０４ａおよび２０４ｂからカメラ１００の内部にゴミおよび水分などが侵入することを防止する。
【００４７】
図６は、図３に示すＡ−Ａ線に沿った断面図である。
【００４８】
ダイヤル部２００は、操作部カバー２０５およびスライダカバー２０６によって回動可能に保持されている。図６においては、スライダ２８０が一方に寄った状態が示されており、第２のクリック磁石２８０ｂのＳ極と磁石２５１のＮ極とが対向して、吸引力が作用している。
【００４９】
この際、スライダ２８０に形成された長穴２８０ｄの円弧部分とダイヤル部２００の軸部２００ｂとは接していない。磁石２５１においてスライダ２８０と反対側にはシールド部材２０３が配置されており、これによって、磁石２５１からの磁力線は操作部カバー２０５の側には漏れない。
【００５０】
軸部２００ａおよび２００ｂは磁性体で構成されており、その一部はシールド部材２０３と接している。スライダカバー２０６に備えられた摺動部２０６ａは、軸部２００ａおよびスライダ２８０の本体２８０ｃと接している。磁石２５１からの磁力線は第２のクリック磁石２８０ｂおよび本体２８０ｃを通ってダイヤル部２００の軸部２００ａおよびシールド部材２０３に達し、磁石２５１に戻る。
【００５１】
図６に示す状態と逆の方向にスライダ２８０が寄った状態においては、第１のクリック磁石２８０ａのＮ極と磁石２５１のＳ極とが対向する。よって、同様にして磁石２５１、スライダ２８０、ダイヤル部２００、およびシールド部材２０３によって閉じた磁気回路が構成される。
【００５２】
このように、閉じた磁気回路を構成することによって、磁力が弱い磁石であってもより強いクリック感を生じさせることができる。この結果、同一のクリック感であってもダイヤル１４０を小型化することができる。
【００５３】
ここで、ダイヤル部２００をユーザーが回転操作した際に生じるクリック感について説明する。
【００５４】
図７は、図６に示す第１のクリック磁石と磁石とに吸着力が作用している状態を示す図である。また、図８は、図６に示すスライダが磁石の中心に位置する状態を示す図である。さらに、図９は、図６に示す第２のクリック磁石と磁石とに吸着力が作用している状態を示す図である。そして、図１０は、図６に示すスライダが磁石の中心に位置する状態を示す図である。
【００５５】
なお、図７〜図１０においては、説明の便宜上、磁石２５１、スライダ２８０、およびホールＩＣ２４１のみが示されている。そして、ハッチングを施した部分がＮ極である。また、スライダ２８０の紙面手前側の面に磁極が示されているが、実際にはスライダ２８０の見えない面（紙面方向反対側の面）が図示された磁極に磁化されている。
【００５６】
図７において、第２のクリック磁石２８０ｂのＳ極は磁石２５１からは離れており、図７に示す状態は力学的に安定した状態である。そして、スライダ２８０はＤ２の方向においてメカ的に突き当たっている状態ではない。
【００５７】
図７に示す状態からダイヤル部２００を時計回り（ＣＷ）に回転操作すると、第１のクリック磁石２８０ａのＮ極に対して磁石２５１のＮ極が接近して反発力が作用する。この結果、スライダ２８０はＤ１の方向（径方向）にスライドを開始する。さらに、ダイヤル部２００を時計回りに回転操作すると、図７に示す状態から磁石２５１を時計回りに１５度回転させた図８に示す状態となる。
【００５８】
図８において、第１のクリック磁石２８０ａおよび第２のクリック磁石２８０ｂに対して、Ｄ１（Ｄ２）方向に作用する吸着力および反発力が釣り合っている。但し、力学的に不安定な状態であって、図８に示す状態から少しでもダイヤル部２００の位相がずれると図７又は図９に示す状態に遷移する力が作用する。
【００５９】
例えば、図８に示す状態からダイヤル部２００を時計回りに回転操作すると、第１のクリック磁石２８０ａのＮ極に対して磁石２５１のＮ極がさらに接近するので、反発力が強まる。また、第２のクリック磁石２８０ｂのＳ極に対して磁石２５１のＮ極が接近するので吸引力が発生して、スライダ２８０はＤ１の方向にスライドする。
【００６０】
ダイヤル部２００を反時計回り（ＣＣＷ）に回転操作した場合においても、同様にしてスライダ２８０はＤ２の方向にスライドする。
【００６１】
図８に示す状態からさらにダイヤル部２００を時計回りに操作すると、図７に示す状態から磁石２５１を時計回りに３０度回転させた図９に示す状態になる。
【００６２】
図９において、第２のクリック磁石２８０ｂのＳ極と磁石２５１のＮ極とが対向して互いに吸着力が作用する。この際、第１のクリック磁石２８０ａのＮ極は磁石２５１からは離れている。図９に示す状態は力学的に安定した状態であって、スライダ２８０はＤ１の方向にメカ的に突き当たっていない。
【００６３】
図７に示す状態から、図８示す状態を経て図９に示す状態となるまでに、磁石２５１は磁極一極分（３０度）回転するが、この間にダイヤル部２００を回転操作したユーザーは１クリック分のクリック感を得ることができる。つまり、ダイヤル部２００を一回転させると、磁石２５１の磁極数である１２回のクリック感を得ることができる。
【００６４】
図９に示す状態からダイヤル部２００を時計回りに操作すると、第２のクリック磁石２８０ｂのＳ極に対して磁石２５１のＳ極が接近して反発力が作用して、スライダ２８０はＤ２の方向にスライドを開始する。さらに、ダイヤル部２００を時計回りに回転操作すると、図７に示す状態から磁石２５１を時計回りに４５度回転させた図１０に示す状態となる。
【００６５】
図１０において、スライダ２８０は磁石２５１の中心に位置し、第１のクリック磁石２８０ａおよび第２のクリック磁石２８０ｂに対してＤ１（Ｄ２２）の方向に作用する吸着力および反発力は釣り合っている。図１０に示す状態は図８に示す状態と同様に力学的には不安定な状態である。
【００６６】
図１０に示す状態からダイヤル部２００をさらに時計回りに操作すると、第２のクリック磁石２８０ｂのＳ極に対して磁石２５１のＳ極がさらに接近するので、反発力が強まる。また、第１のクリック磁石２８０ａのＮ極に対して磁石２５１のＳ極が接近して吸引力が発生して、スライダ２８０はＤ２の方向にスライドする。さらに、ダイヤル部２００を時計回りに回転操作すると、図７に示す状態から磁石２５１が時計回りに６０度回転して図７に示す状態と同様の状態に戻る。
【００６７】
ユーザーによってダイヤル部２００が時計回りに回転操作された場合には、図７〜図１０で説明した動きが繰り返されてユーザーにクリック感が与えられる。また、ダイヤル部２００が反時計回りに回転操作された場合には、図１０〜図７に示す順序で状態が遷移して、同様にしてクリック感がユーザーに与えられる。
【００６８】
図示の例では、ホールＩＣ２４１はスライダ２８０が摺動する際に吸着および反発する磁石２５１から９０度ずれた位置に配置されている。このような配置によって、ダイヤル部２００を操作した際のスライダ２８０による磁界の変化による影響を最小限に抑えることができる。
【００６９】
図７に示すように、第１のクリック磁石２８０ａおよび第２のクリック磁石２８０ｂの幅Ｗ（スライダ２８０の移動方向に交差する方向の幅）は、磁石２５１の１磁極分の幅と略同一である。これによって、ダイヤル部２００を回転操作した際に遊びを少なくしてクリック感をユーザーに与えることができる。幅Ｗが磁石２５１の一磁極の幅より狭い場合には、ダイヤル部２００を回転操作し始めてから磁石２５１とスライダ２８０とに反発力が作用するまでに時間が掛かってしまい、クリック感においてガタつきが大きくなる。
【００７０】
このように、本発明の第１の実施形態では、クリック感を付与してかつ小型で耐久性を向上させることができる。
【００７１】
［第２の実施形態］
続いて、本発明の第２の実施形態によるカメラで用いられるダイヤルについて説明する。なお、第２の実施形態によるカメラの構成は第１の実施形態で説明したカメラと同様である。
【００７２】
図１１は、本発明の第２の実施形態によるカメラで用いられるダイヤルを正面から示す図である。なお、図１１においては、説明の便宜上、カバー部材２０２、ベース部材２０４、スライダカバー２０６、およびカバー部材２０７は省略されている。
【００７３】
図１１においては、スライダ２８０のスライド方向は回転軸３００の回りに９０度回転した方向になる。これに伴って、ホールＩＣ２４１も回転軸３００の回りに９０度回転した位置に配置される。
【００７４】
ダイヤル１４０においては、図１に示すように、ユーザーはダイヤル部２００の一部分のみに指を当てて回転操作を行う。つまり、ユーザーによる操作可能な箇所および方向は、図１１に示すＤ３の方向に限定される。
【００７５】
図１１に示すように、ユーザーの回転操作方向Ｄ３とスライダ２８０のスライド方向Ｄ４とが直交するので、スライダ２８０の動きによって生じるクリック感がよりユーザーに知覚されやすくなる。
【００７６】
このように、本発明の第２の実施形態においても、クリック感を付与してかつ小型で耐久性を向上させることができる。
【００７７】
［第３の実施形態］
続いて、本発明の第３の実施形態によるカメラで用いられるダイヤルについて説明する。第３の実施形態は、サブダイヤル１４１に対し本発明を実施したカメラである。なお、サブダイヤル１４１以外の構成は第１の実施形態で説明したカメラと同様である。
【００７８】
図１２は、本発明の第３の実施形態によるカメラで用いられるダイヤルを正面から見た図である。サブダイヤル１４１は、ダイヤル部２００を図１２の紙面鉛直方向から触って操作するダイヤルである。
【００７９】
また、図１３は、図１２のダイヤルを分解して示す斜視図である。
【００８０】
図１３において、ダイヤル部２００はユーザーが操作する回転部材であり、回転軸３００を中心として回転する。磁石２５１はリング形状であり、その円周に沿って複数の磁極（Ｓ極およびＮ極）が交互に所定のピッチで着磁されている。そして、磁石２５１の着磁方向は回転軸３００と平行である。図示の例では、磁石２５１は２０極に分極されている。回転磁石保持部材２０１は、磁石２５１が固定される保持部材である。
【００８１】
シールド部材２０３は磁性体であり、回転磁石保持部材２０１と磁石２５１の間に配置される。磁石２５１はシールド部材２０３を介して回転磁石保持部材２０１に固定される。シールド部材２０３によって磁石２５１から発生する磁力が外部に漏れることを防止している。
【００８２】
ダイヤル保持部材２１１は、ダイヤル部２００を回転軸３００中心に回転可能に保持する保持部材である。回転磁石保持部材２０１は、シーリング部材２０８およびダイヤル保持部材２１１を挟むようにダイヤル部２００に固定される。すなわち、ダイヤル部２００、回転磁石保持部材２０１、シールド部材２０３、磁石２５１は一体となって回転する構成になっている。ダイヤル保持部材２１１はベース２１０に固定される。
【００８３】
スライダ２８０は、その両端に、それぞれクリック磁石２８１ａ及び２８１ｂを保持する。スライダ２８０は、ガイド部材２８３（ａ、ｂ）およびベース２１０のガイド部２１０（ａ、ｂ）によって、回転軸３００に垂直な平面内一方向に摺動可能に保持される。ボール２８２ａ及び２８２ｂは、それぞれスライダ２８０とガイド部材２８３（ａ、ｂ）（ガイド部２１０（ａ、ｂ））の間に配置され、スライダ２８０の摺動摩擦を軽減する。ダイヤル部２００が操作されると、磁石２５１とスライダ２８０のクリック磁石２８１ａ及び２８１ｂとの吸着力および反発力によりスライダ２８０が摺動し、クリック感が発生する。
【００８４】
固定磁石保持部材２９０は、ベース２１０に固定され、２つの固定磁石２９１ａ及び２９１ｂを保持する。固定磁石２９１ａ及び２９１ｂは、それぞれスライダ２８０が一方向に寄った状態において、磁石２５１と吸着していない方のクリック磁石２８１と対向する位置に配置される。
【００８５】
図１４は、図１３における第１のクリック磁石２８１ａと磁石２５１の間に吸着力が作用している状態を示す図１２のＢ−Ｂ線に沿った断面図である。
【００８６】
図１４において、スライダ２８０が一方に寄った状態が示されており、スライダ２８０の一方の端に配置されるクリック磁石２８１ａのＳ極と磁石２５１のＮ極とが対向して、吸引力が作用している。また、クリック磁石２８１ａとは反対の端に配置されるクリック磁石２８１ｂのＮ極は、固定磁石保持部材２９０に保持される固定磁石２９１ｂのＳ極と対向し、吸引力が作用している。固定磁石２９１があることにより、クリック磁石２８１ａとクリック磁石２８１ｂの両方に吸引力が作用するため、固定磁石２９１が無い場合に比べ、スライダ２８０の図１４で言うところの紙面垂直軸回りの回転方向の傾きを低減することができる。これにより、ダイヤル部２００が回転操作された際のスライダ２８０の挙動が安定し、ユーザーに対し、より安定したクリック感を提供することができる。
【００８７】
ここで、ダイヤル部２００をユーザーが回転操作した際に生じるクリック感について説明する。
【００８８】
図１４に示す状態からダイヤル部２００を時計回り（ＣＷ）に回転操作すると、図１４において、クリック磁石２８１ａと対向していた磁石２５１のＮ極の隣のＳ極が、クリック磁石２８１ａに接近して反発力が作用する。この結果、スライダ２８０はＤ１の方向（径方向）にスライドを開始する。
【００８９】
図１４に示すように、クリック磁石２８１ｂと固定磁石２９１ｂの間に作用する吸引力により、磁石２５１の磁極の中心とクリック磁石２８１ａの中心がずれた状態になっている。これにより、ダイヤル部２００が回転操作され、磁石２５１とクリック磁石２８１ａの間に反発力が作用した際に誤ってスライダ２８０がＤ１と逆方向にスライドするのを防ぐことができる。
【００９０】
クリック磁石２８１ｂと固定磁石２９１ｂの間に作用する吸引力は、スライダ２８０のＤ１方向の動きを妨げる方向に作用する。これにより、固定磁石２９１ｂが無い場合に比べ、ダイヤル部２００を回転操作するためにより大きなトルクが必要となる。すなわち、固定磁石２９１ｂを設けることで、ダイヤル部２００を回転操作した際にユーザーが得られるクリック感を強くすることができる。
【００９１】
磁石２５１とクリック磁石２８１ａの反発力でスライダ２８０をスライドさせるため、磁石２５１とクリック磁石２８１ａの間に作用する反発力より、固定磁石２９１ｂとクリック磁石２８１ｂの吸引力が大きいと、スライダ２８０が正しく駆動しない。つまり、磁石２５１とクリック磁石２８１ａの間に作用する反発力よりも固定磁石２９１ｂとクリック磁石２８１ｂの吸引力が小さくなるように固定磁石２９１ｂの種類・大きさ・クリック磁石２８１ｂとの距離を決定する必要がある。なお、本実施形態において、固定磁石２９１の代わりに磁性体を用いても良い。
【００９２】
次いで、さらに、ダイヤル部２００を時計回りに回転操作すると、図１５に示す状態となる。
【００９３】
図１５は、図１３におけるスライダ２８０が磁石２５１の中心に位置する状態を示す図１２のＢ−Ｂ線に沿った断面図である。
【００９４】
図１５において、磁石２５１とクリック磁石２８１ａおよび固定磁石２９１ｂとクリック磁石２８１ｂの間に作用する吸着力および反発力のＤ１方向の分力は釣り合っている。すなわち、スライダ２８０に作用するＤ１方向の力は釣り合っている。ただし、力学的に不安定な状態であって、図１５に示す状態から少しでもダイヤル部２００の位相がずれると図１４又は後述する図１６に示す状態に遷移する力が作用する。
【００９５】
図１５に示す状態からさらにダイヤル部２００を時計回りに操作すると、図１４に示す状態から磁石２５１を時計回りに１８度回転させた図１６に示す状態になる。
【００９６】
図１６は、図１３における第２のクリック磁石２８１ｂと磁石２５１の間に吸着力が作用している状態を示す図１２のＢ−Ｂ線に沿った断面図である。
【００９７】
図１６においては、スライダ２８０のクリック磁石２８１ｂのＮ極と磁石２５１のＳ極が対向し、吸引力が作用している。また、クリック磁石２８１ａのＳ極は固定磁石２９１ａのＮ極と対向し、吸引力が作用している。
【００９８】
クリック磁石２８１ａと固定磁石２９１ａの間に作用する吸引力によって、スライダ２８０が図１６の状態よりもさらにＤ１方向にスライドしてしまうことを防ぐことができる。これにより、図１６の状態からさらにダイヤル部２００が回転操作された際に、スライダ２８０が誤ってＤ１方向にスライドしてしまうことを防止することができる。
【００９９】
図１４〜図１６の一連の動きにより磁石２５１、クリック磁石２８１（ａ、ｂ）、固定磁石２９１（ａ、ｂ）に吸引力および反発力が生じ、ユーザーはクリック感を得る。図１４に示す状態から、図１５示す状態を経て図１６に示す状態となるまでに、磁石２５１は磁極一極分（１８度）回転するため、ダイヤル部２００を一回転させると、磁石２５１の磁極数である２０回のクリック感を得ることができる。
【０１００】
次に、第３の実施形態の変形例について説明する。
【０１０１】
（第１の変形例）
図１７は、第３の実施形態と同様、ダイヤル部２００を操作した際のクリック感を強化するために固定磁石２９１（ａ、ｂ）を設けた第１の変形例を示す模式図である。なお、図１７では、説明の便宜上、磁石２５１、スライダ２８０、クリック磁石２８１、固定磁石２９１のみを図示している。
【０１０２】
図１７において、図１７（ａ）に示す線Ｃ−Ｃに沿った断面図が図１７（ｂ）である。磁石２５１のＮ極とクリック磁石２８１ｂのＳ極とが対向して、吸引力が作用している。また、固定磁石２９１ａのＳ極とクリック磁石２８１ａのＮ極とが対向して、吸引力が作用している。第３の実施形態では固定磁石２９１を磁石２５１の内側に設けたが、本第１の変形例では、図１７に示したように磁石２５１の外側に設けている。
【０１０３】
第１の変形例によれば、固定磁石２９１（ａ、ｂ）を磁石２５１の外側に設けたので、第３の実施形態の効果に加え、回転軸（図１３の回転軸３００）方向の厚みを抑えることができる。また、第１の変形例によれば、上述したサブダイヤル１４１のようにダイヤルの中心に押しボタン１４２を設ける構成において、設計自由度を向上させることができる。
【０１０４】
第１の変形例において、第３の実施形態と同様に、固定磁石２９１として磁性体を用いることもできる。
【０１０５】
次に、第３の実施形態の第２の変形例について説明する。
【０１０６】
（第２の変形例）
図１８は、第３の実施形態と同様、ダイヤル部２００を操作した際のクリック感を強化するために固定磁石２９１を設けた第２の変形例を示す模式図である。なお、図１８では、説明の便宜上、磁石２５１、スライダ２８０、クリック磁石２８１、固定磁石２９１のみを図示している。
【０１０７】
図１８において、図１８（ａ）に示す線Ｄ−Ｄに沿った断面図が図１８（ｂ）である。磁石２５１のＮ極とクリック磁石２８１ａのＳ極とが対向して、吸引力が作用している。図１８（ｂ）において、スライダ２８０に対して磁石２５１と反対側に固定磁石２９１（ａ、ｂ）が配置されており、クリック磁石２８１ａのＮ極と固定磁石２９１ａのＳ極が対向して、吸引力が作用している。
【０１０８】
本第２の変形例によれば、第１の実施形態のようにダイヤル部２００を軸部２００ａと軸部２００ｂの両側から保持する構成においても、固定磁石２９１を設けることができる。また、図１８に示す構成は、第３の実施形態と組合せて実施可能であり、ダイヤル部２００を回転操作した際にユーザーが得られるクリック感をより向上させることができる。
【０１０９】
以上、本発明の好ましい実施形態について説明したが、本発明はこれらの実施形態に限定されず、その要旨の範囲内で種々の変形及び変更が可能である。例えば、第１および第２の実施形態では、静音化のためにスライダ２８０のスライド方向にメカ的な突当部を設けないようにした。一方、静定状態（図７およびび図９に示す状態）において、第１のクリック磁石２８０ａおよび第２のクリック磁石２８０ｂに当接する位置に弾性部材を配置するようにしてもよい。
【０１１０】
このような構成によって、スライダ２８０が行き過ぎてしまうことを防止することができる。さらに、スライダ２８０の長穴２８０ｄとダイヤル部２００の軸部２００ｂとのクリアランスを低減して、よりダイヤル１４０を小型化することができる。
【０１１１】
また、磁石２５１と回転軸３００の方向との位置関係を調整可能とするようにしてもよい。これによって、スライダ２８０によって生じるクリック感の強弱を調整することが可能となる。
【符号の説明】
【０１１２】
１４０  ダイヤル（回転操作装置）
１４１  サブダイヤル
２００  ダイヤル部（回転操作部材）
２０２  カバー部材
２０３  シールド部材
２０４  ベース部材
２０５  操作部カバー
２０６  スライダカバー
２４１  ホールＩＣ
２５１  磁石
２８０  スライダ
２８１（ａ、ｂ）  クリック磁石
２９０  固定磁石保持部材
２９１（ａ、ｂ）  固定磁石
【図１】
2020136273.tif 000003
【図２】
2020136273.tif 000004
【図３】
2020136273.tif 000005
【図４】
2020136273.tif 000006
【図５】
2020136273.tif 000007
【図６】
2020136273.tif 000008
【図７】
2020136273.tif 000009
【図８】
2020136273.tif 000010
【図９】
2020136273.tif 000011
【図１０】
2020136273.tif 000012
【図１１】
2020136273.tif 000013
【図１２】
2020136273.tif 000014
【図１３】
2020136273.tif 000015
【図１４】
2020136273.tif 000016
【図１５】
2020136273.tif 000017
【図１６】
2020136273.tif 000018
【図１７】
2020136273.tif 000019
【図１８】
2020136273.tif 000020